(57)【特許請求の範囲】
【請求項１】
印刷回数と印刷設定の変更規則とを対応付けた変更規則テーブルを記憶する変更規則テーブル記憶部と、
印刷回数、印刷設定、及び印刷部数を含む印刷ジョブを取得する印刷ジョブ取得部と、
前記変更規則テーブルを参照して、前記印刷ジョブに含まれる前記印刷設定を、前記印刷ジョブに含まれる前記印刷回数と一致する印刷回数に対応付けられた変更規則で変更する印刷設定変更部と、
通常印刷指示部品とチェック印刷指示部品とを含む画面を表示部に表示させる表示制御部と、
前記通常印刷指示部品が選択された場合、変更された前記印刷設定で前記印刷ジョブに基づく印刷を印刷部に実行させ、前記チェック印刷指示部品が選択された場合、変更された前記印刷設定かつ前記印刷部数に関わらず予め定められた印刷部数で前記印刷ジョブに基づく印刷を前記印刷部に実行させる印刷制御部と、
を備え、
前記印刷ジョブ取得部は、前記通常印刷指示部品が選択された場合、前記印刷ジョブの前記印刷回数の更新制御を行い、前記チェック印刷指示部品が選択された場合、前記印刷ジョブの前記印刷回数の更新制御を行わないことを特徴とする画像形成装置。
【請求項２】
ユーザを識別するユーザ識別情報を含むユーザ認証情報の入力を受け付ける認証情報受付部と、
前記ユーザ認証情報を用いた前記ユーザの認証を制御する認証制御部と、を更に備え、
前記印刷ジョブは、更に当該印刷ジョブを作成したユーザのユーザ識別情報を含み、
前記印刷ジョブ取得部は、認証に成功した前記ユーザの前記ユーザ識別情報と同一のユーザ識別情報を含む印刷ジョブを取得することを特徴とする請求項１に記載の画像形成装置。
【請求項３】
前記認証制御部は、前記ユーザの認証に成功した場合、当該ユーザによる印刷の印刷設定の変更の可否を示す変更可否情報を取得し、
前記印刷設定変更部は、取得された前記変更可否情報が変更可を示す場合に、前記変更規則テーブルを参照して、前記印刷ジョブに含まれる前記印刷設定を、前記印刷ジョブに含まれる前記印刷回数と一致する印刷回数に対応付けられた変更規則で変更することを特徴とする請求項２に記載の画像形成装置。
【請求項４】
前記変更可否情報が変更可を示すか変更不可を示すかは、前記ユーザ及び前記ユーザが属するグループに応じて定まることを特徴とする請求項３に記載の画像形成装置。
【請求項５】
前記表示制御部は、前記印刷設定変更部により変更された前記印刷設定の再変更画面を前記表示部に表示させ、
前記印刷設定変更部は、変更した前記印刷設定を前記再変更画面上で設定された印刷設定に再変更することを特徴とする請求項３又は４に記載の画像形成装置。
【請求項６】
前記印刷制御部は、前記通常印刷指示部品が選択された場合、再変更された前記印刷設定で前記印刷ジョブに基づく印刷を前記印刷部に実行させ、前記チェック印刷指示部品が選択された場合、再変更された前記印刷設定かつ前記印刷部数に関わらず前記予め定められた印刷部数で前記印刷ジョブに基づく印刷を前記印刷部に実行させ、
前記印刷ジョブ取得部は、前記通常印刷指示部品が選択された場合、前記印刷ジョブの前記印刷回数の更新制御を行い、前記チェック印刷指示部品が選択された場合、前記印刷ジョブの前記印刷回数の更新制御を行わないことを特徴とする請求項５に記載の画像形成装置。
【請求項７】
前記変更規則は、カラー印刷をモノクロ印刷に変更するか否か、片面印刷を両面印刷に変更するか否か、集約印刷を行うか否か、及び用紙種別を変更するか否かの少なくともいずれかを含むことを特徴とする請求項１〜６のいずれか１つに記載の画像形成装置。
【請求項８】
印刷ジョブ取得部が、印刷回数、印刷設定、及び印刷部数を含む印刷ジョブを取得する印刷ジョブ取得ステップと、
印刷設定変更部が、変更規則テーブル記憶部から印刷回数と印刷設定の変更規則とを対応付けた変更規則テーブルを参照して、前記印刷ジョブに含まれる前記印刷設定を、前記印刷ジョブに含まれる前記印刷回数と一致する印刷回数に対応付けられた変更規則で変更する印刷設定変更ステップと、
表示制御部が、通常印刷指示部品とチェック印刷指示部品とを含む画面を表示部に表示させる表示制御ステップと、
印刷制御部が、前記通常印刷指示部品が選択された場合、変更された前記印刷設定で前記印刷ジョブに基づく印刷を印刷部に実行させ、前記チェック印刷指示部品が選択された場合、変更された前記印刷設定かつ前記印刷部数に関わらず予め定められた印刷部数で前記印刷ジョブに基づく印刷を前記印刷部に実行させる印刷制御ステップと、
前記印刷ジョブ取得部が、前記通常印刷指示部品が選択された場合、前記印刷ジョブの前記印刷回数の更新制御を行い、前記チェック印刷指示部品が選択された場合、前記印刷ジョブの前記印刷回数の更新制御を行わない更新制御ステップと、
を含むことを特徴とする印刷方法。
【請求項９】
請求項８に記載の印刷方法をコンピュータに実行させるための印刷プログラム。
【請求項１０】
請求項９に記載の印刷プログラムを記憶したコンピュータ読み取り可能な記憶媒体。
【発明の詳細な説明】
【技術分野】
【０００１】
本発明は、画像形成装置、印刷方法、印刷プログラム及び記憶媒体に関する。
【背景技術】
【０００２】
従来から、印刷ジョブに含まれる印刷設定を変更して印刷を実行する技術が知られている（例えば、特許文献１参照）。このような技術によれば、各種コストを低減するような印刷設定に変更して印刷を実行することにより、ＴＣＯ（Total  Cost  of  Ownership）を削減することができる。
【０００３】
また、ＴＣＯ（Total  Cost  of  Ownership）削減やセキュリティに重きをおいた印刷技術として、オンデマンド印刷（プルプリントシステム）がある。オンデマンド印刷では、情報処理装置から送信された印刷ジョブに基づく印刷を画像形成装置で直ちに実行するのではなく、印刷ジョブを印刷サーバや画像形成装置に一旦蓄積する。そして、蓄積された印刷ジョブの中から画像形成装置により指定された印刷ジョブに基づく印刷のみを画像形成装置で実行する。
【０００４】
このように、オンデマンド印刷では、印刷ジョブが印刷サーバや画像形成装置に蓄積されているため、印刷ジョブが蓄積されている限り印刷ジョブに基づく印刷を何度でも実行することができる。
【発明の概要】
【発明が解決しようとする課題】
【０００５】
しかしながら、特許文献１に開示されたような従来技術では、印刷ジョブに含まれる印刷設定を変更する際に印刷回数が考慮されていない。このため、印刷ジョブに含まれる印刷設定が毎回同様の設定に変更されて印刷されてしまう可能性があり、フレキシブルな対応が困難であった。
【０００６】
本発明は、上記事情に鑑みてなされたものであり、印刷ジョブに含まれる印刷設定をフレキシブルに変更可能な画像形成装置、印刷方法、印刷プログラム及び記憶媒体を提供することを目的とする。
【課題を解決するための手段】
【０００７】
上述した課題を解決し、目的を達成するために、本発明の一態様にかかる画像形成装置は、印刷回数と印刷設定の変更規則とを対応付けた変更規則テーブルを記憶する変更規則テーブル記憶部と、印刷回数、印刷設定、及び印刷部数を含む印刷ジョブを取得する印刷ジョブ取得部と、前記変更規則テーブルを参照して、前記印刷ジョブに含まれる前記印刷設定を、前記印刷ジョブに含まれる前記印刷回数と一致する印刷回数に対応付けられた変更規則で変更する印刷設定変更部と、通常印刷指示部品とチェック印刷指示部品とを含む画面を表示部に表示させる表示制御部と、前記通常印刷指示部品が選択された場合、変更された前記印刷設定で前記印刷ジョブに基づく印刷を印刷部に実行させ、前記チェック印刷指示部品が選択された場合、変更された前記印刷設定かつ前記印刷部数に関わらず予め定められた印刷部数で前記印刷ジョブに基づく印刷を前記印刷部に実行させる印刷制御部と、を備え、前記印刷ジョブ取得部は、前記通常印刷指示部品が選択された場合、前記印刷ジョブの前記印刷回数の更新制御を行い、前記チェック印刷指示部品が選択された場合、前記印刷ジョブの前記印刷回数の更新制御を行わないことを特徴とする。
【０００８】
また、本発明の別の態様にかかる印刷方法は、印刷ジョブ取得部が、印刷回数、印刷設定、及び印刷部数を含む印刷ジョブを取得する印刷ジョブ取得ステップと、印刷設定変更部が、変更規則テーブル記憶部から印刷回数と印刷設定の変更規則とを対応付けた変更規則テーブルを参照して、前記印刷ジョブに含まれる前記印刷設定を、前記印刷ジョブに含まれる前記印刷回数と一致する印刷回数に対応付けられた変更規則で変更する印刷設定変更ステップと、表示制御部が、通常印刷指示部品とチェック印刷指示部品とを含む画面を表示部に表示させる表示制御ステップと、印刷制御部が、前記通常印刷指示部品が選択された場合、変更された前記印刷設定で前記印刷ジョブに基づく印刷を印刷部に実行させ、前記チェック印刷指示部品が選択された場合、変更された前記印刷設定かつ前記印刷部数に関わらず予め定められた印刷部数で前記印刷ジョブに基づく印刷を前記印刷部に実行させる印刷制御ステップと、前記印刷ジョブ取得部が、前記通常印刷指示部品が選択された場合、前記印刷ジョブの前記印刷回数の更新制御を行い、前記チェック印刷指示部品が選択された場合、前記印刷ジョブの前記印刷回数の更新制御を行わない更新制御ステップと、を含むことを特徴とする。
【０００９】
また、本発明の別の態様にかかる印刷プログラムは、上記印刷方法をコンピュータに実行させるためのものである。
【００１０】
また、本発明の別の態様にかかる記憶媒体は、上記印刷プログラムを記憶したコンピュータ読み取り可能なものである。
【発明の効果】
【００１１】
本発明によれば、印刷ジョブに含まれる印刷設定をフレキシブルに変更できるという効果を奏する。
【図面の簡単な説明】
【００１２】
【図１】図１は、本実施形態の印刷システムの一例を示す構成図である。
【図２】図２は、本実施形態の印刷装置の構成の一例を示すブロック図である。
【図３】図３は、本実施形態の印刷ジョブの一例を示す図である。
【図４】図４は、本実施形態の変更規則テーブルの一例を示す図である。
【図５】図５は、本実施形態の編集画面の一例を示す図である。
【図６】図６は、本実施形態の認証サーバの構成の一例を示すブロック図である。
【図７】図７は、本実施形態の変更可否テーブルの一例を示す図である。
【図８】図８は、本実施形態の印刷サーバの構成の一例を示すブロック図である。
【図９】図９は、本実施形態の印刷システムで行われる印刷処理の一例を示すフローチャートである。
【図１０】図１０は、本実施形態の印刷システムで行われる認証処理の一例を示すフローチャートである。
【図１１】図１１は、本実施形態の印刷システムで行われる印刷ジョブ表示処理の一例を示すフローチャートである。
【図１２】図１２は、本実施形態の印刷ジョブリストの一例を示す図である。
【図１３】図１３は、本実施形態の印刷ジョブ選択画面の一例を示す図である。
【図１４】図１４は、本実施形態の印刷システムで行われる印刷処理の一例を示すフローチャートである。
【図１５】図１５は、本実施形態の確認画面の一例を示す図である。
【図１６】図１６は、変形例の確認画面の一例を示す図である。
【図１７】図１７は、変形例の再変更画面の一例を示す図である。
【図１８】図１８は、変形例のユーザ変更可否テーブルの一例を示す図である。
【図１９】図１９は、変形例のグループ変更可否テーブルの一例を示す図である。
【図２０】図２０は、本実施形態及び変形例の印刷装置のハードウェア構成の一例を示すブロック図である。
【図２１】図２１は、本実施形態及び変形例の認証サーバ、印刷サーバ、及びクライアントＰＣのハードウェア構成の一例を示すブロック図である。
【発明を実施するための形態】
【００１３】
以下、添付図面を参照しながら、本発明にかかる画像形成装置、印刷方法、印刷プログラム及び記憶媒体の実施形態を詳細に説明する。なお本実施形態では、画像形成装置として、印刷装置を例に取り説明するが、これに限定されるものではない。画像形成装置は、印刷装置機能に加え、スキャナ機能、複写機能、及びファクシミリ機能の少なくともいずれかの機能を有する複合機（ＭＦＰ：Multifunction  Peripheral）などであってもよい。
【００１４】
まず、本実施形態の印刷システムの構成について説明する。
【００１５】
図１は、本実施形態の印刷システム１０の一例を示す構成図である。図１に示すように、印刷システム１０は、印刷装置１００と、認証サーバ２００と、印刷サーバ３００と、クライアントＰＣ（Personal  Computer）４００とを、備える。印刷システム１０の各装置は、ＬＡＮ（Local  Area  Network）などのネットワーク２０を介して接続されている。なお、印刷装置１００及びクライアントＰＣ４００の台数は、これに限定されるものではく、複数であってもよい。
【００１６】
図２は、本実施形態の印刷装置１００の構成の一例を示すブロック図である。図２に示すように、印刷装置１００は、通信部１１０と、操作部１２０と、表示部１３０と、記憶部１４０と、制御部１５０と、印刷部１７０とを、備える。
【００１７】
通信部１１０は、ネットワーク２０を介して、認証サーバ２００や印刷サーバ３００などの外部機器と通信するものであり、通信インタフェースなどの既存の通信装置により実現できる。
【００１８】
操作部１２０は、各種操作の入力を行うものであり、オペレーションパネル（タッチパネル式ディスプレイ）、キースイッチ、ＩＣカードリーダ、及びキーボードなどの少なくともいずれかにより実現できる。なお、操作部１２０は、印刷装置１００に内蔵されていても外付けされていてもよい。
【００１９】
表示部１３０は、各種画面を表示するものであり、液晶ディスプレイやオペレーションパネルなどにより実現できる。なお、オペレーションパネルにより、操作部１２０と表示部１３０とを一体的に実現してもよい。
【００２０】
記憶部１４０は、印刷装置１００で実行される各種プログラムや印刷装置１００で行われる各種処理に使用されるデータなどを記憶する。記憶部１４０は、例えば、ＨＤＤ（Hard  Disk  Drive）、ＳＳＤ（Solid  State  Drive）、メモリカード、光ディスク、ＲＡＭ（Random  Access  Memory）などの磁気的、光学的、又は電気的に記憶可能な既存の記憶装置の少なくともいずれかにより実現できる。記憶部１４０は、変更規則テーブル記憶部１４１を含む。変更規則テーブル記憶部１４１の詳細については、後述する。
【００２１】
制御部１５０は、印刷装置１００の各部を制御するものであり、ＣＰＵ（Central  Processing  Unit）などの既存の制御装置により実現できる。制御部１５０は、認証情報受付部１５１と、認証制御部１５３と、印刷ジョブ取得部１５５と、印刷設定変更部１５７と、印刷制御部１５９と、表示制御部１６１と、編集部１６３とを、含む。
【００２２】
認証情報受付部１５１は、操作部１２０から、ユーザを識別するユーザ識別情報を含むユーザ認証情報の入力を受け付ける。本実施形態では、ユーザ識別情報はユーザＩＤであり、ユーザ認証情報は、ユーザＩＤの他にパスワードを含むものとするが、これに限定されるものではない。
【００２３】
認証制御部１５３は、認証情報受付部１５１により受け付けられたユーザ認証情報を用いたユーザの認証を制御する。なお認証制御部１５３は、ユーザの認証に成功した場合、当該ユーザによる印刷の印刷設定の変更の可否を示す変更可否情報などの認証に成功したユーザの権限に関する情報も取得する。
【００２４】
本実施形態では、認証制御部１５３は、認証情報受付部１５１により受け付けられたユーザ認証情報を認証サーバ２００に送信し、当該認証サーバ２００からユーザの認証結果を受信する。そして認証制御部１５３は、受信した認証結果からユーザの認証の成否を判定する。なお認証制御部１５３は、認証結果が認証成功を示している場合、認証サーバ２００から変更可否情報や後述する変更規則テーブルの変更規則の編集の可否を示す編集可否情報も受信する。
【００２５】
印刷ジョブ取得部１５５は、印刷回数及び印刷設定を含む印刷ジョブを取得する。具体的には、印刷ジョブは、当該印刷ジョブを作成したユーザのユーザ識別情報も含んでおり、印刷ジョブ取得部１５５は、認証に成功したユーザのユーザ識別情報と同一のユーザ識別情報を含む印刷ジョブを取得する。
【００２６】
本実施形態では、印刷ジョブ取得部１５５は、印刷ジョブを管理する印刷サーバ３００から印刷ジョブを取得する。例えば、印刷ジョブ取得部１５５は、認証に成功したユーザのユーザ識別情報を印刷サーバ３００に送信することにより、送信したユーザ識別情報と同一のユーザ識別情報を含む印刷ジョブを印刷サーバ３００から取得する。
【００２７】
本実施形態では、印刷ジョブは、ユーザＩＤ、ジョブ名、ジョブの作成日時、印刷部数、印刷設定、及び印刷回数を含むものとするが、これに限定されるものではない。ここで、印刷設定は、例えば、モノクロかカラーかの設定、両面か片面かの設定、集約（Ｎｕｐ）を行うか否かの設定、及び用紙種別の設定などが該当する。
【００２８】
図３は、本実施形態の印刷ジョブの一例を示す図である。図３に示す例では、ユーザＩＤがＵｓｅｒＡであり、ジョブ名がＳａｌｅｓＲｅｐｏｒｔであり、作成日時が２０１０／０８／１５であり、部数が１部であり、印刷設定が、カラー、片面、集約なし、普通紙であり、印刷回数が２回となっている。
【００２９】
また印刷ジョブ取得部１５５は、印刷回数の更新を制御する。本実施形態では、印刷ジョブ取得部１５５は、後述の印刷制御部１５９により印刷が実行された印刷ジョブの印刷回数の更新を印刷サーバ３００に指示する。例えば、印刷ジョブ取得部１５５は、印刷が実行された印刷ジョブのジョブ名及び更新後の印刷回数を印刷サーバ３００に送信する。
【００３０】
ここで、変更規則テーブル記憶部１４１について説明する。変更規則テーブル記憶部１４１は、印刷回数と印刷設定の変更規則とを対応付けた変更規則テーブルを記憶する。本実施形態では、変更規則は、カラー印刷をモノクロ印刷に変更するか否か、片面印刷を両面印刷に変更するか否か、集約印刷を行うか否か、及び用紙種別を変更するか否かの少なくともいずれかを含むものとするが、これに限定されるものではない。
【００３１】
図４は、本実施形態の変更規則テーブルの一例を示す図である。図４に示す例では、印刷回数が０回（１回目の印刷）の場合の変更規則は設定されていない。印刷回数が１回（２回目の印刷）の場合の変更規則は、カラーをモノクロに変更、片面を両面に変更、印刷用紙は再生紙（トレイ３を使用）となっている。印刷回数が２回（３回目の印刷）の場合の変更規則は、カラーをモノクロに変更、２ｕｐに集約、印刷用紙は裏紙（トレイ１を使用）となっている。
【００３２】
印刷設定変更部１５７は、変更規則テーブル記憶部１４１に記憶されている変更規則テーブルを参照して、印刷ジョブ取得部１５５により取得された印刷ジョブに含まれる印刷設定を、当該印刷ジョブに含まれる印刷回数と一致する印刷回数に対応付けられた変更規則で変更する。具体的には、印刷設定変更部１５７は、認証制御部１５３により取得された変更可否情報が変更可を示す場合に、変更規則テーブルを参照して、印刷ジョブ取得部１５５により取得された印刷ジョブに含まれる印刷設定を、当該印刷ジョブに含まれる印刷回数と一致する印刷回数に対応付けられた変更規則で変更する。例えば、印刷設定変更部１５７は、図３に示す印刷ジョブの場合、印刷回数が２回であり３回目の印刷となるため、図４に示す変更規則テーブルを参照して、印刷設定を、カラー、片面、集約なし、普通紙での印刷から、モノクロ、片面、２ｕｐに集約、裏紙での印刷に変更する。
【００３３】
印刷制御部１５９は、印刷設定変更部１５７により変更された印刷設定で印刷ジョブに基づく印刷を印刷部１７０に実行させる。
【００３４】
ここで、印刷部１７０について説明する。印刷部１７０は、印刷制御部１５９により制御され、印刷ジョブに基づく印刷を実行する。
【００３５】
表示制御部１６１は、変更規則テーブル記憶部１４１に記憶されている変更規則テーブルの変更規則の編集画面を表示部１３０に表示させる。具体的には、表示制御部１６１は、認証制御部１５３により取得された編集可否情報が編集可を示す場合に、編集画面を表示部１３０に表示させる。図５は、本実施形態の編集画面の一例を示す図である。図５に示す例では、変更規則として、カラーをモノクロに変更、片面を両面に変更、集約を設定、裏紙を使用、及び再生紙を使用の５項目が設定可能となっている。なお、集約を設定については、更に、２ページを１ページに（２ｕｐ）や４ページを１ページに（４ｕｐ）など集約内容も設定するようになっている。裏紙を使用及び再生紙を使用については、更に、該当用紙がセットされているトレーも設定するようになっている。また、裏紙を使用及び再生紙を使用については、いずれか一方しか設定できないようになっており、一方が設定されると、他方がグレーアウトされ、設定できないようになる。同様に、片面を両面に変更及び裏紙を使用についてもいずれか一方しか設定できないようになっており、一方が設定されると、他方がグレーアウトされ、設定できないようになる。
【００３６】
編集部１６３は、変更規則テーブルの変更規則を、表示部１３０に表示されている編集画面上で設定された変更規則に編集する。編集部１６３は、例えば、図４に示す変更規則テーブルの変更規則を、図５に示す編集画面上で操作部１２０により設定された変更規則に編集する。図５に示す例では、印刷回数に応じて変更規則を段階的に編集（適用）できるようになっている。ここでは、変更規則を２段階で編集できるように設定されており、印刷２回目（印刷回数１回）では、カラーをモノクロに変更、片面を両面に変更、再生紙を使用（トレー３）が設定され、印刷３回目（印刷回数２回）では、カラーをモノクロに変更、集約を設定（２ページを１ページに）、裏紙を使用（トレー１）が設定されている。なお、印刷１回目（印刷回数０回）では、変更規則は設定されておらず、印刷ジョブの印刷設定は変更されない。また、印刷４回目（印刷回数３回）以降については、印刷３回目の変更規則の設定が適用される。なお、変更規則を３段階で編集できるように設定されている場合には、印刷４回目（印刷回数３回）についても変更規則をでき、印刷５回目（印刷回数４回）以降については、印刷４回目の変更規則の設定が適用される。
【００３７】
図６は、本実施形態の認証サーバ２００の構成の一例を示すブロック図である。認証サーバ２００は、ユーザを認証するものであり、図６に示すように、通信部２１０と、記憶部２２０と、制御部２３０とを、備える。
【００３８】
通信部２１０は、ネットワーク２０を介して、印刷装置１００などの外部機器と通信するものであり、印刷装置１００同様、既存の通信装置により実現できる。
【００３９】
記憶部２２０は、認証サーバ２００で実行される各種プログラムや認証サーバ２００で行われる各種処理に使用されるデータなどを記憶し、印刷装置１００同様、既存の記憶装置の少なくともいずれかにより実現できる。例えば、記憶部２２０は、ユーザ識別情報と変更可否情報とを対応付けた変更可否テーブルや、ユーザ識別情報と編集可否情報とを対応付けた編集可否テーブルを記憶する。図７は、本実施形態の変更可否テーブルの一例を示す図である。図７に示す例では、ユーザＩＤがＵｓｅｒＡの場合、変更可否情報が変更可となっている。
【００４０】
制御部２３０は、認証サーバ２００の各部を制御するものであり、印刷装置１００同様、既存の制御装置により実現できる。制御部２３０は、認証部２３１を含む。
【００４１】
認証部２３１は、ユーザを認証する。具体的には、認証部２３１は、印刷装置１００からユーザ認証情報を受信し、記憶部２２０に記憶されている図示せぬ認証データと照合して、認証結果を印刷装置１００に送信する。なお認証部２３１は、認証結果が認証成功である場合、記憶部２２０に記憶されている変更可否テーブルや編集可否テーブルを参照して、認証に成功したユーザのユーザＩＤに対応付けられた変更可否情報や編集可否情報も印刷装置１００に送信する。
【００４２】
図８は、本実施形態の印刷サーバ３００の構成の一例を示すブロック図である。印刷サーバ３００は、印刷ジョブを管理するものであり、図８に示すように、通信部３１０と、記憶部３２０と、制御部３３０とを、備える。
【００４３】
通信部３１０は、ネットワーク２０を介して、クライアントＰＣ４００や印刷装置１００などの外部機器と通信するものであり、印刷装置１００同様、既存の通信装置により実現できる。
【００４４】
記憶部３２０は、印刷サーバ３００で実行される各種プログラムや印刷サーバ３００で行われる各種処理に使用されるデータなどを記憶し、印刷装置１００同様、既存の記憶装置の少なくともいずれかにより実現できる。例えば、記憶部３２０には、クライアントＰＣ４００から送信された印刷ジョブが蓄積される。
【００４５】
制御部３３０は、印刷サーバ３００の各部を制御するものであり、印刷サーバ３００同様、既存の制御装置により実現できる。制御部３３０は、印刷ジョブ管理部３３１を含む。
【００４６】
印刷ジョブ管理部３３１は、クライアントＰＣ４００などの外部装置から送信された印刷ジョブを受信し、記憶部３２０に格納する。なお、クライアントＰＣ４００などの外部装置から送信された印刷ジョブに含まれる印刷回数は、この時点では０回である。
【００４７】
また印刷ジョブ管理部３３１は、印刷装置１００から送信されたユーザ識別情報を受信し、受信したユーザ識別情報と同一のユーザ識別情報を含む印刷ジョブを記憶部３２０から検索し、検索した印刷ジョブを印刷装置１００に送信する。
【００４８】
また印刷ジョブ管理部３３１は、印刷装置１００から印刷ジョブの印刷回数の更新が指示されると、更新を指示された印刷ジョブの印刷回数を更新する。例えば、印刷ジョブ管理部３３１は、印刷が実行された印刷ジョブのジョブ名及び更新後の印刷回数を印刷装置１００から受信すると、受信したジョブ名と同一のジョブ名を含む印刷ジョブを記憶部３２０から検索する。そして印刷ジョブ管理部３３１は、検索した印刷ジョブに含まれる印刷回数を、受信した印刷回数に更新する。
【００４９】
クライアントＰＣ４００は、ユーザが用いるＰＣであり、印刷ジョブを印刷サーバ３００に送信する。
【００５０】
次に、本実施形態の印刷システムの印刷動作について説明する。
【００５１】
図９は、本実施形態の印刷システム１０で行われる印刷処理の一例を示すフローチャートである。
【００５２】
まず、認証情報受付部１５１は、操作部１２０から入力されたユーザＩＤ及びパスワードの入力を受け付ける（ステップＳ１００）。ここでは、認証情報受付部１５１は、ユーザＡのユーザＩＤ（ＵｓｅｒＡ）及びパスワード（＊＊＊＊＊＊＊＊）を受け付けるものとするが、これに限定されるものではない。
【００５３】
続いて、認証制御部１５３は、認証情報受付部１５１により受け付けられたユーザＩＤ及びパスワードを用いたユーザの認証処理を制御する（ステップＳ１０２）。
【００５４】
認証処理については、図１０を参照しながら説明する。図１０は、本実施形態の印刷システム１０で行われる認証処理の一例を示すフローチャートである。
【００５５】
まず、認証制御部１５３は、認証情報受付部１５１により受け付けられたユーザＩＤ及びパスワードを認証サーバ２００に送信する（ステップＳ２００）。
【００５６】
続いて、認証部２３１は、印刷装置１００から送信されたユーザＩＤ及びパスワードを受信する（ステップＳ２０２）。
【００５７】
続いて、認証部２３１は、受信したユーザＩＤ及びパスワードを記憶部２２０に記憶されている図示せぬ認証データと照合して、ユーザを認証する（ステップＳ２０４）。ここでは、ユーザＡの認証に成功するものとする。
【００５８】
そして認証部２３１は、認証結果が認証成功である場合（ステップＳ２０６でＹｅｓ）、記憶部２２０に記憶されている変更可否テーブルを参照して、認証に成功したユーザのユーザＩＤに対応付けられた変更可否情報を取得する（ステップＳ２０８）。ここで、認証に成功したユーザＡのユーザＩＤはＵｓｅｒＡであるため、認証部２３１が取得した変更可否情報は、変更可を示すものとする（図７参照）。なお、認証結果が認証失敗である場合（ステップＳ２０６でＮｏ）、ステップＳ２０８の処理は行われない。
【００５９】
続いて、認証部２３１は、認証結果を印刷装置１００に送信する（ステップＳ２１０）。なお、認証結果が認証成功である場合には、認証部２３１は、取得した変更可否情報なども印刷装置１００に送信する。
【００６０】
続いて、認証制御部１５３は、認証サーバ２００から送信された認証結果などを受信する（ステップＳ２１２）。
【００６１】
そして認証制御部１５３は、受信した認証結果が認証成功である場合（ステップＳ２１４でＹｅｓ）、ログインする（ステップＳ２１６）。これにより、印刷装置１００のロックが解除され、印刷が可能となる。なお、認証結果が認証失敗である場合（ステップＳ２１４でＮｏ）、ステップＳ２１６の処理は行われない。
【００６２】
図９に戻り、続いて、印刷装置１００は、印刷ジョブのリストを取得して表示部１３０に表示させる印刷ジョブ表示処理を行う（ステップＳ１０４）。
【００６３】
印刷ジョブ表示処理については、図１１を参照しながら説明する。図１１は、本実施形態の印刷システム１０で行われる印刷ジョブ表示処理の一例を示すフローチャートである。
【００６４】
まず、印刷ジョブ取得部１５５は、認証情報受付部１５１により受け付けられたユーザＩＤを印刷サーバ３００に送信する（ステップＳ３００）。
【００６５】
続いて、印刷ジョブ管理部３３１は、印刷装置１００から送信されたユーザＩＤを受信する（ステップＳ３０２）。
【００６６】
続いて、印刷ジョブ管理部３３１は、印刷装置１００から受信したユーザＩＤと同一のユーザＩＤを含む印刷ジョブを記憶部３２０から検索し、検索した印刷ジョブのジョブ名をリスト化した印刷ジョブリストを生成する（ステップＳ３０４）。ここで、印刷装置１００から受信したユーザＩＤはＵｓｅｒＡであるため、印刷ジョブ管理部３３１は、ユーザＩＤがＵｓｅｒＡである印刷ジョブの印刷ジョブリストを生成するものとする。図１２は、本実施形態の印刷ジョブリストの一例を示す図である。図１２に示す例は、ユーザＩＤとしてＵｓｅｒＡ含む印刷ジョブの印刷ジョブリストであり、ＳａｌｅｓＲｅｐｏｒｔ、ＰｒｉｎｔＪｏｂ、ＲｅｌｅａｓｅＤｏｃｕｍｅｎｔ、及びＰｒｅｓｅｎｔａｔｉｏｎ．ｐｐｐの４つの印刷ジョブのジョブ名がリスト化されている。
【００６７】
続いて、印刷ジョブ管理部３３１は、生成した印刷ジョブリストを印刷装置１００に送信する（ステップＳ３０６）。なお印刷ジョブ管理部３３１は、この際に、印刷ジョブリストにジョブ名が含まれる印刷ジョブも印刷装置１００に送信するものとするが、印刷ジョブの送信タイミングはこれに限定されるものではない。印刷ジョブ管理部３３１は、例えば、印刷装置１００により印刷対象の印刷ジョブが選択されたタイミングで、当該印刷ジョブを印刷装置１００に送信するようにしてもよい。
【００６８】
続いて、印刷ジョブ取得部１５５は、印刷サーバ３００から送信された印刷ジョブリストなどを受信する（ステップＳ３０８）。
【００６９】
続いて、表示制御部１６１は、受信した印刷ジョブリストに基づいて、印刷対象の印刷ジョブの印刷ジョブ選択画面を表示部１３０に表示させる（ステップＳ３１０）。図１３は、本実施形態の印刷ジョブ選択画面の一例を示す図である。図１３に示す例では、印刷ジョブリストに含まれる印刷ジョブ名が印刷回数とともに表示されている。ここで、印刷済の表示は、印刷ジョブの印刷回数が１回の場合に表示され、２回印刷済の表示は、印刷ジョブの印刷回数が２回の場合に表示される。なお、印刷ジョブの印刷回数が０回の場合、印刷済の表示は表示されない。
【００７０】
つまり本実施形態では、表示制御部１６１は、印刷ジョブ選択画面を表示させる際に、印刷ジョブリストに含まれる印刷ジョブ名の印刷ジョブの印刷回数を参照し、印刷ジョブ名とともに印刷回数を表示させている。
【００７１】
図９に戻り、続いて、印刷制御部１５９は、操作部１２０により、印刷ジョブ選択画面上で印刷対象の印刷ジョブが選択され、印刷ボタン５０１が選択されることにより、印刷指示を受け付ける（ステップＳ１０６）。
【００７２】
続いて、印刷制御部１５９は、選択された印刷ジョブの印刷処理を行う（ステップＳ１０８）。ここでは、印刷対象の印刷ジョブとしてＳａｌｅｓＲｅｐｏｒｔが選択され、ＳａｌｅｓＲｅｐｏｒｔの印刷処理を行うものとする。
【００７３】
印刷処理については、図１４を参照しながら説明する。図１４は、本実施形態の印刷システム１０で行われる印刷処理の一例を示すフローチャートである。
【００７４】
まず、印刷設定変更部１５７は、認証制御部１５３により受信された変更可否情報が変更可を示すか否かを確認する（ステップＳ４００）。なお前述したように、変更可否情報は、変更可を示すものとする。
【００７５】
そして、印刷設定変更部１５７は、変更可否情報が変更可を示す場合（ステップＳ４００でＹｅｓ）、変更規則テーブルを参照して、選択された印刷ジョブに含まれる印刷回数と一致する印刷回数に応じた変更規則を取得する（ステップＳ４０２）。ここで、選択された印刷ジョブであるＳａｌｅｓＲｅｐｏｒｔの印刷回数は２回であるため（図３参照）、印刷設定変更部１５７は、変更規則として、カラーをモノクロに変更、２ｕｐに集約、印刷用紙は裏紙（トレイ１を使用）を取得するものとする（図４参照）。一方、変更可否情報が変更不可を示す場合（ステップＳ４００でＮｏ）、ステップＳ４０８へ進む。
【００７６】
続いて、印刷設定変更部１５７は、選択された印刷ジョブに含まれる印刷設定を取得した変更規則で変更する（ステップＳ４０４）。ここでは、印刷設定変更部１５７は、印刷設定を、カラー、片面、集約なし、普通紙での印刷から、モノクロ、片面、２ｕｐに集約、裏紙での印刷に変更する（図３、４参照）。
【００７７】
続いて、表示制御部１６１は、変更規則で変更した印刷設定で印刷を行う旨の確認画面を表示部１３０に表示させる（ステップＳ４０６）。図１５は、本実施形態の確認画面の一例を示す図である。図１５に示す例では、既に２度印刷が行われているため、モノクロ、両面、裏紙での印刷を行う旨が表示されている。
【００７８】
続いて、印刷制御部１５９は、操作部１２０により、確認画面上で印刷ボタン５１１が選択されることにより、印刷設定変更部１５７により変更された印刷設定で印刷ジョブに基づく印刷を印刷部１７０に実行させる（ステップＳ４０８）。なお、ステップＳ４００で変更可否情報が変更不可を示す場合（ステップＳ４００でＮｏ）、印刷制御部１５９は、当初の印刷設定のままで印刷ジョブに基づく印刷を印刷部１７０に実行させる。
【００７９】
続いて、印刷ジョブ取得部１５５は、印刷制御部１５９により印刷が実行された印刷ジョブの印刷回数を更新（インクリメント）し（ステップＳ４１０）、当該印刷ジョブのジョブ名及び更新後の印刷回数を印刷サーバ３００に送信する（ステップＳ４１２）。
【００８０】
続いて、印刷ジョブ管理部３３１は、印刷装置１００から送信されたジョブ名及び印刷回数を受信する（ステップＳ４１４）。
【００８１】
続いて、印刷ジョブ管理部３３１は、受信したジョブ名と同一のジョブ名を含む印刷ジョブを記憶部３２０から検索し、検索した印刷ジョブに含まれる印刷回数を、受信した印刷回数に更新する（ステップＳ４１６）。
【００８２】
以上のように、本実施形態によれば、印刷ジョブの印刷回数を考慮して印刷ジョブの印刷設定を変更するため、印刷設定をフレキシブルに変更することができる。
【００８３】
特に本実施形態では、印刷１回目では印刷設定を変更せず、印刷２回目以降から印刷用紙やトナーの消費量を削減するように印刷設定を変更する。ここで、視認性や作業効率などの観点から、印刷１回目では、ユーザ自身が意図した印刷設定で印刷することが好ましいことが多い。このため本実施形態によれば、ユーザ自身が意図した印刷設定での印刷と、ＴＣＯを削減する印刷設定での印刷とを、両立させることができ、無駄な印刷（印刷ミス）の低減も期待できるため、よりＴＣＯ削減に寄与することができる。
【００８４】
例えば、会議用の資料などを印刷する場合、１回目の印刷で印刷された印刷物は実際に会議に用いられることが多いため、ユーザ自身が意図した印刷設定で印刷することが好ましい。但し、このような資料であっても、２回目以降の印刷で印刷された印刷物は、内容確認や参考資料などの用途で用いられることが多いため、ＴＣＯを削減する印刷設定で印刷することが好ましい。
【００８５】
（変形例）
なお、本発明は、上記実施形態に限定されるものではなく、種々の変形が可能である。
【００８６】
（変形例１）
上記実施形態において、表示制御部１６１が、印刷設定変更部１５７により変更された印刷設定の再変更画面を表示部１３０に表示させ、印刷設定変更部１５７が、変更した印刷設定を変更画面上で設定された印刷設定に再変更するようにしてもよい。
【００８７】
この場合、表示制御部１６１は、図１４のステップＳ４０６で図１６に示すような確認画面を表示部１３０に表示させる。例えば、表示制御部１６１は、認証制御部１５３により取得された編集可否情報が編集可を示す場合に、図１６に示すような確認画面を表示部１３０に表示させる。なお、認証制御部１５３が、ユーザ認証時に認証サーバから認証されたユーザが印刷設定の再変更の可否を示す再変更可否情報を受信し、受信した再変更可否情報が再変更可を示す場合に、図１６に示すような確認画面を表示部１３０に表示させるようにしてもよい。つまり、表示制御部１６１は、認証されたユーザが印刷設定の再変更権限を有する場合に、図１６に示すような確認画面を表示部１３０に表示させる。
【００８８】
図１６に示す例では、設定変更ボタン５１２が更に表示されており、表示制御部１６１は、操作部１２０により、確認画面上で設定変更ボタン５１２が選択されることにより、再変更画面を表示部１３０に表示させる。図１７は、変形例の再変更画面の一例を示す図である。図１７に示す例では、印刷設定として、モノクロかカラーか、両面か片面か、２枚ごと、４枚ごと、８枚ごと、１６枚ごとのいずれに集約するか、裏紙、再生紙、普通紙のいずれを印刷用紙に用いるかが設定可能になっている。
【００８９】
印刷設定変更部１５７は、操作部１２０により、図１７に示す再変更画面上で印刷設定が設定され、印刷ボタン５２１やチェック印刷ボタン５２２が選択されることにより、図１４のステップＳ４０４で変更した印刷設定を図１７に示す変更画面上で設定された印刷設定に再変更する。そして、図１４のステップＳ４０８では、印刷制御部１５９は、印刷設定変更部１５７により再変更された印刷設定で印刷ジョブに基づく印刷を印刷部１７０に実行させる。なお、チェック印刷ボタン５２２が選択された場合、印刷ジョブに含まれる部数に関わらず１部のみ印刷される。
【００９０】
また、チェック印刷ボタン５２２が選択されて、印刷が実行された場合の印刷回数は更新に含まれない。例えば、図１７の変更画面において、ユーザがチェック印刷ボタン５２２を押下してチェック印刷が実行された後に、印刷ボタン５２１を押下して印刷が実行された場合には、印刷回数は更新（インクリメント）されるが、チェック印刷が実行された後に、ユーザがキャンセルボタン５２３を押下して印刷がキャンセルされた場合には、印刷回数は更新されない。このとき、印刷制御部１５９は、チェック印刷ボタン５２２が選択されたことによる印刷要求か、印刷ボタン５２１が選択されたことによる印刷要求かを判断し、チェック印刷ボタン５２２が選択された場合には、印刷ジョブ取得部１５５による更新および更新後の印刷回数の送信は実行されず、印刷ボタン５２１が選択された場合に、印刷ジョブ取得部１５５による更新および更新後の印刷回数の送信が実行される。
【００９１】
このようにすれば、例えば、庶務を行うユーザのように、同じ印刷物を同一の印刷設定で何回も印刷するような、印刷回数に関わらず毎回意図した印刷設定での印刷が必要なユーザにも対応できる。
【００９２】
（変形例２）
上記実施形態において、認証サーバ２００の記憶部２２０は、図１８に示すようなユーザ変更可否テーブル及び図１９に示すようなグループ変更可否テーブルを記憶し、認証サーバ２００の認証部２３１は、これらのテーブルに応じた変更可否情報を印刷装置１００に送信するようにしてもよい。
【００９３】
図１８に示すユーザ変更可否テーブルでは、更にグループＩＤが対応付けられており、図１９に示すグループ変更可否テーブルでは、グループＩＤと変更可否情報とが対応付けられている。図１８に示す例では、ユーザＩＤがＵｓｅｒＢの場合、変更可否情報が変更不可となっており、ＵｓｅｒＢが属するグループのグループＩＤがＧｒｏｕｐＢとなっている。また図１９に示す例では、グループＩＤがＧｒｏｕｐＢの場合、変更可否情報が変更可となっている。
【００９４】
この場合、認証部２３１は、ＵｓｅｒＢの変更可否情報が変更不可であるがＵｓｅｒＢが属するＧｒｏｕｐＢの変更可否情報が変更可であるため、変更可を示す変更可否情報を印刷装置１００に送信する。
【００９５】
このようにすれば、ユーザだけでなくグループも考慮できるので、よりフレキシブルに印刷設定を変更するか否かを判断することができる。
【００９６】
（変形例３）
上記実施形態において、認証サーバ２００及び印刷サーバ３００の少なくとも一方の機能を印刷装置１００に集約するようにしてもよい。つまり、認証サーバ２００の記憶部２２０や制御部２３０（認証部２３１）を印刷装置１００に集約してユーザ認証を印刷装置１００が行うようにしたり、印刷サーバ３００の記憶部３２０や制御部３３０（印刷ジョブ管理部３３１）を印刷装置１００に集約して印刷ジョブの管理を印刷装置１００が行うようにしたりしてもよい。
【００９７】
（ハードウェア構成）
上記実施形態及び変形例の印刷装置１００、認証サーバ２００、印刷サーバ３００、及びクライアントＰＣ４００のハードウェア構成の一例について説明する。
【００９８】
図２０は、上記実施形態及び変形例の印刷装置１００のハードウェア構成の一例を示すブロック図である。図２０に示すように、上記実施形態及び変形例の印刷装置１００は、コントローラ９１０とエンジン部（Engine）９６０とをＰＣＩ（Peripheral  Component  Interconnect）バスで接続した構成となる。コントローラ９１０は、複合機全体の制御、描画、通信、及び操作表示部９２０からの入力を制御するコントローラである。エンジン部９６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部９６０には、プロッタなどのいわゆるエンジン部分に加えて、誤差拡散やガンマ変換などの画像処理部分が含まれる。
【００９９】
コントローラ９１０は、ＣＰＵ９１１と、ノースブリッジ（ＮＢ）９１３と、システムメモリ（ＭＥＭ−Ｐ）９１２と、サウスブリッジ（ＳＢ）９１４と、ローカルメモリ（ＭＥＭ−Ｃ）９１７と、ＡＳＩＣ（Application  Specific  Integrated  Circuit）９１６と、ハードディスクドライブ（ＨＤＤ）９１８とを有し、ノースブリッジ（ＮＢ）９１３とＡＳＩＣ９１６との間をＡＧＰ（Accelerated  Graphics  Port）バス９１５で接続した構成となる。また、ＭＥＭ−Ｐ９１２は、ＲＯＭ９１２ａと、ＲＡＭ９１２ｂとをさらに有する。
【０１００】
ＣＰＵ９１１は、複合機の全体制御をおこなうものであり、ＮＢ９１３、ＭＥＭ−Ｐ９１２およびＳＢ９１４からなるチップセットを有し、このチップセットを介して他の機器と接続される。
【０１０１】
ＮＢ９１３は、ＣＰＵ９１１とＭＥＭ−Ｐ９１２、ＳＢ９１４、ＡＧＰバス９１５とを接続するためのブリッジであり、ＭＥＭ−Ｐ９１２に対する読み書きなどを制御するメモリコントローラと、ＰＣＩマスタおよびＡＧＰターゲットとを有する。
【０１０２】
ＭＥＭ−Ｐ９１２は、プログラムやデータの格納用メモリ、プログラムやデータの展開用メモリ、プリンタの描画用メモリなどとして用いるシステムメモリであり、ＲＯＭ９１２ａとＲＡＭ９１２ｂとからなる。ＲＯＭ９１２ａは、プログラムやデータの格納用メモリとして用いる読み出し専用のメモリであり、ＲＡＭ９１２ｂは、プログラムやデータの展開用メモリ、プリンタの描画用メモリなどとして用いる書き込みおよび読み出し可能なメモリである。
【０１０３】
ＳＢ９１４は、ＮＢ９１３とＰＣＩデバイス、周辺デバイスとを接続するためのブリッジである。このＳＢ９１４は、ＰＣＩバスを介してＮＢ９１３と接続されており、このＰＣＩバスには、ネットワークインタフェース（Ｉ／Ｆ）部なども接続される。
【０１０４】
ＡＳＩＣ９１６は、画像処理用のハードウェア要素を有する画像処理用途向けのＩＣ（Integrated  Circuit）であり、ＡＧＰバス９１５、ＰＣＩバス、ＨＤＤ９１８およびＭＥＭ−Ｃ９１７をそれぞれ接続するブリッジの役割を有する。このＡＳＩＣ９１６は、ＰＣＩターゲットおよびＡＧＰマスタと、ＡＳＩＣ９１６の中核をなすアービタ（ＡＲＢ）と、ＭＥＭ−Ｃ９１７を制御するメモリコントローラと、ハードウェアロジックなどにより画像データの回転などをおこなう複数のＤＭＡＣ（Direct  Memory  Access  Controller）と、エンジン部９６０との間でＰＣＩバスを介したデータ転送をおこなうＰＣＩユニットとからなる。このＡＳＩＣ９１６には、ＵＳＢ（Universal  Serial  Bus）９４０、ＩＥＥＥ１３９４（the  Institute  of  Electrical  and  Electronics  Engineers  1394）インタフェース９５０が接続される。操作表示部９２０はＡＳＩＣ９１６に直接接続されている。
【０１０５】
ＭＥＭ−Ｃ９１７は、コピー用画像バッファ、符号バッファとして用いるローカルメモリであり、ＨＤＤ９１８は、画像データの蓄積、プログラムの蓄積、フォントデータの蓄積、フォームの蓄積を行うためのストレージである。
【０１０６】
ＡＧＰバス９１５は、グラフィック処理を高速化するために提案されたグラフィックスアクセラレーターカード用のバスインターフェースであり、ＭＥＭ−Ｐ９１２に高スループットで直接アクセスすることにより、グラフィックスアクセラレーターカードを高速にするものである。
【０１０７】
なお、上記実施形態及び変形例の印刷装置１００で実行されるプログラムは、ＲＯＭ等に予め組み込まれて提供される。
【０１０８】
上記実施形態及び変形例の印刷装置１００で実行される印刷プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記録して提供するように構成してもよい。
【０１０９】
さらに、上記実施形態及び変形例の印刷装置１００で実行される印刷プログラムを、インターネット等のネットワークに接続されたコンピュータ上に格納し、ネットワーク経由でダウンロードさせることにより提供するように構成しても良い。また、上記実施形態及び変形例の複合機で実行される認証プログラムをインターネット等のネットワーク経由で提供または配布するように構成しても良い。
【０１１０】
上記実施形態及び変形例の印刷装置１００で実行される印刷プログラムは、上述した各部をコンピュータ上で実現させるためのモジュール構成となっている。実際のハードウェアとしてはＣＰＵ９１１がＲＯＭ９１２ａからプログラムをＲＡＭ９１２ｂ上に読み出して実行することにより、上記各部がコンピュータ上で実現されるようになっている。
【０１１１】
図２１は、上記実施形態及び変形例の認証サーバ２００、印刷サーバ３００、及びクライアントＰＣ４００のハードウェア構成の一例を示すブロック図である。図２１に示すように、上記実施形態及び変形例の認証サーバ２００、印刷サーバ３００、及びクライアントＰＣ４００は、ＣＰＵなどの制御装置９７１と、ＲＯＭやＲＡＭなどの記憶装置９７２と、ＨＤＤやリムーバブルドライブ装置などの外部記憶装置９７３と、ディスプレイなどの表示装置９７４と、キーボードやマウスなどの入力装置９７５と、通信インタフェース９７６とを備えており、通常のコンピュータを利用したハードウェア構成となっている。
【０１１２】
上記実施形態及び変形例の認証サーバ２００、印刷サーバ３００、及びクライアントＰＣ４００で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１１３】
また、上記実施形態及び変形例の認証サーバ２００、印刷サーバ３００、及びクライアントＰＣ４００で実行されるプログラムを、インターネット等のネットワークに接続されたコンピュータ上に格納し、ネットワーク経由でダウンロードさせることにより提供するようにしてもよい。また、上記実施形態及び変形例の認証サーバ２００、印刷サーバ３００、及びクライアントＰＣ４００で実行されるプログラムを、インターネット等のネットワーク経由で提供または配布するようにしてもよい。また、上記実施形態及び変形例の認証サーバ２００、印刷サーバ３００、及びクライアントＰＣ４００で実行されるプログラムを、ＲＯＭ等に予め組み込んで提供するようにしてもよい。
【０１１４】
上記実施形態及び変形例の認証サーバ２００、印刷サーバ３００、及びクライアントＰＣ４００で実行されるプログラムは、上述した各部をコンピュータ上で実現させるためのモジュール構成となっている。実際のハードウェアとしては、ＣＰＵがＨＤＤから印刷方式決定プログラムをＲＡＭ上に読み出して実行することにより、上記各部がコンピュータ上で実現されるようになっている。
【符号の説明】
【０１１５】
１０  印刷システム
２０  ネットワーク
１００  印刷装置
１１０  通信部
１２０  操作部
１３０  表示部
１４０  記憶部
１４１  変更規則テーブル記憶部
１５０  制御部
１５１  認証情報受付部
１５３  認証制御部
１５５  印刷ジョブ取得部
１５７  印刷設定変更部
１５９  印刷制御部
１６１  表示制御部
１６３  編集部
１７０  印刷部
２００  認証サーバ
２１０  通信部
２２０  記憶部
２３０  制御部
２３１  認証部
３００  印刷サーバ
３１０  通信部
３２０  記憶部
３３０  制御部
３３１  印刷ジョブ管理部
４００  クライアントＰＣ
９１０  コントローラ
９１１  ＣＰＵ
９１２  システムメモリ
９１２ａ  ＲＯＭ
９１２ｂ  ＲＡＭ
９１３  ノースブリッジ
９１４  サウスブリッジ
９１５  ＡＧＰバス
９１６  ＡＳＩＣ
９１７  ローカルメモリ
９１８  ハードディスクドライブ
９２０  操作表示部
９４０  ＵＳＢ
９５０  ＩＥＥＥ１３９４インタフェース
９６０  エンジン部
９７１  制御装置
９７２  記憶装置
９７３  外部記憶装置
９７４  表示装置
９７５  入力装置
９７６  通信インタフェース
【先行技術文献】
【特許文献】
【０１１６】
【特許文献１】特開２００６−３３８２３７号公報
【図１】
0005754226.tif 000002
【図２】
0005754226.tif 000003
【図３】
0005754226.tif 000004
【図４】
0005754226.tif 000005
【図６】
0005754226.tif 000006
【図７】
0005754226.tif 000007
【図８】
0005754226.tif 000008
【図９】
0005754226.tif 000009
【図１０】
0005754226.tif 000010
【図１１】
0005754226.tif 000011
【図１２】
0005754226.tif 000012
【図１３】
0005754226.tif 000013
【図１４】
0005754226.tif 000014
【図１５】
0005754226.tif 000015
【図１６】
0005754226.tif 000016
【図１７】
0005754226.tif 000017
【図１８】
0005754226.tif 000018
【図１９】
0005754226.tif 000019
【図２０】
0005754226.tif 000020
【図２１】
0005754226.tif 000021
【図５】
0005754226.tif 000022